(57)【要約】【課題】液を注出後、注出口付近に溜まっている液を効率的に容器内部に戻す機構を有するプッシュプルキャップを提供する。【解決手段】容器に装着されるキャップ本体１２と、キャップ本体１２に液密に装着されて上下動可能なオーバーキャップ１４とを有し、オーバーキャップ１４の注出口１８から下方に向けて拡開するドーム状または円錐状の内壁の筒状部２０を有し、当該内壁には、内壁表面から肉厚方向に向けて、注出口１８から下方向に至る連続した凹部及び／または凸部を複数形成したプッシュプルキャップである。【選択図】図１
2015205710.tif 000002
【特許請求の範囲】
【請求項１】
容器に装着されて、容器をスクイズすることによって内容物を注出する構造のプッシュプルキャップにおいて、
容器に装着されるキャップ本体と、キャップ本体に液密に装着されて上下動可能なオーバーキャップとを有し、
オーバーキャップの注出口から下方に向けて拡開するドーム状または円錐状の内壁を有し、
当該内壁には、内壁表面から肉厚方向に向けて、注出口から下方向に至る連続した凹部及び／または凸部を複数形成したことを特徴とするプッシュプルキャップ。
【請求項２】
連続した凹部及び／または凸部は、オーバーキャップの注出口を挟んで非対称に形成したものであることを特徴とする請求項１に記載のプッシュプルキャップ。
【請求項３】
連続した凹部及び／または凸部の存在する内壁面の面積は、内壁面全体の面積の１／４〜３／４であることを特徴とする請求項１または２に記載のプッシュプルキャップ。
【請求項４】
連続した凹部の間隔が下方に行くにしたがって拡開することを特徴とする請求項１から３のうちの１項に記載のプッシュプルキャップ。
【発明の詳細な説明】
【技術分野】
【０００１】
本発明は、キャップ本体に対してオーバーキャップを押し引きして開閉するプッシュプルキャップに関する。
【背景技術】
【０００２】
成形されたプラスチック容器の中には、プッシュプルキャップと呼ばれるキャップが装着されたものがある。このプッシュプルキャップは、キャップ本体に対して、オーバーキャップを押し込む（プッシュ）操作と引っ張る（プル）操作によってキャップの注出口を開閉することが可能となっている。
【０００３】
そして、プッシュプルキャップに関して、問題となるのが、使用時に注出口付近に液が残留し再度容器を掴んだ際に、その液が泡飛びの原因になることである。
【０００４】
これに対し、従来、容器注出口の液戻りを促進して液残りを無くして、泡飛びの防止を図る技術が提案されている。
【０００５】
例えば、特許文献１では、液戻し機構として、筒状部の内壁に傾斜した段差の設置により、液戻しを促進している。
【０００６】
また、特許文献２では、オーバーキャップ（キャップボタン）の開口下方に設けた内筒の下端を傾斜形状で非対称にした液戻し機構により、液戻し促進を図っている。しかしながら、特許文献１や特許文献２の段差や傾斜部は注出口から離れており、注出口付近の液に対して十分な液戻し効果が得られない。
【０００７】
また、特許文献３及び特許文献４では、注出口の内側周囲から下方に延設される環状壁面体の下端を水平面に対して傾斜する傾斜部を液戻し機構として有するものとし、その傾斜部が非対称であり、液戻し促進を図っている。しかしながら、この傾斜部は注出口から離れており、これも注出口付近の液溜まりに対して十分な液戻し効果が得られない場合がある。
【０００８】
また、特許文献５では、オーバーキャップ（スライドノズル）注出口の下方を取り囲むように、液戻し機構として、オーバーキャップ内面にリブを全周に形成したものが開示され、リブによって液落としの促進を図っている。また、特許文献６では、ヒンジキャップであるが、液戻し機構として、蓋体内面を取り囲んでリブを設けて液戻しの促進を図っている。
【先行技術文献】
【特許文献】
【０００９】
【特許文献１】特許３９５５４２０号公報
【特許文献２】特開平１１−１２５９号公報
【特許文献３】特開２００２-２９５６０号公報
【特許文献４】実開平５−４０１６８号公報
【特許文献５】特開２００１−１５１２６０号公報
【特許文献６】特開２００５−２１２８３６号公報
【発明の概要】
【発明が解決しようとする課題】
【００１０】
しかしながら、前述の如く従来の液戻し機構では、容器の内容液の粘度が高い場合に、または、内容液排出後の容器復元力・復元体積が小さい場合に、液の戻りが不十分であり、泡飛びの防止が不十分な場合があった。
【００１１】
本発明は、斯かる実情に鑑み、液を注出後、注出口付近に溜まっている液を効率的に容器内部に戻す機構を有するプッシュプルキャップを提供する。
【課題を解決するための手段】
【００１２】
本発明は、容器に装着されて、容器をスクイズすることによって内容物を注出する構造のプッシュプルキャップにおいて、
容器に装着されるキャップ本体と、キャップ本体に液密に装着されて上下動可能なオーバーキャップとを有し、
オーバーキャップの注出口から下方に向けて拡開するドーム状または円錐状の内壁を有し、
当該内壁には、内壁表面から肉厚方向に向けて、注出口から下方向に至る連続した凹部及び／または凸部を複数形成したことを特徴とするプッシュプルキャップである。
【００１３】
本発明においては、連続した凹部及び／または凸部は、オーバーキャップの注出口を挟んで非対称に形成したものであることが好適である。
【００１４】
本発明においては、連続した凹部及び／または凸部の存在する内壁面の面積は、内壁面全体の面積の１／４〜３／４であることが好適である。
【００１５】
本発明においては、連続した凹部が下方に行くにしたがって拡開することが好適である。
【発明の効果】
【００１６】
本発明のプッシュプルキャップによれば、内壁には、内壁表面から肉厚方向に向けて、注出口から下方向に至る連続した凹部及び／または凸部を複数形成したので、液が戻る際に注出口付近の液が早い段階で均衡が崩れるので、液膜が発生することがなく、流れやすくなる。
【００１７】
また、連続した凹部及び／または凸部は、オーバーキャップの注出口を挟んで非対称に形成すれば、内壁に付着した液の均衡を崩れやすくして液膜の発生を確実に防止できる。
【００１８】
また、連続した凹部及び／または凸部の存在する内壁面の面積は、内壁面全体の面積の１／４〜３／４であることにより、当該凹部または凸部を非対称にして、部位により液の落下の速度を異なるものとして、より液膜が発生しづらくなる。つまり、１／４以下の場合、または、３／４以上の場合、局所的に異なる形状を実現しづらくなり、液膜の発生する恐れが高まる可能性がある。
【００１９】
また、連続した凹部が下方に行くにしたがって拡開することによって、凹部への液の溜まりを抑制して、落ちやすくできる等の優れた効果を奏し得る。
【図面の簡単な説明】
【００２０】
【図１】本発明の実施形態に係るプッシュプルキャップの縦断した説明図である。
【図２】図１のオーバーキャップの下方から見た説明図である。
【図３】図１のＡ−Ａ線に沿う断面視図で、（ａ）が連続した凸部、（ｂ）が連続した凹部を示すものである。
【発明を実施するための形態】
【００２１】
以下、本発明の実施形態について添付図面を参照して説明する。
【００２２】
図１〜図３は本発明の実施形態に係るプッシュプルキャップの説明図である。
【００２３】
図１に示すように、実施形態に係るプッシュプルキャップは、容器（ボトル）１０に装着されて、容器１０をスクイズすることによって内容物を注出するものである。なお、容器１０はブロー成型や樹脂成型したもので押圧・非押圧したときに弾性変形・弾性復帰する構造のものであればよい。
【００２４】
プッシュプルキャップは、キャップ本体１２が容器１０の上端に細径の口元部１０ａに外側からネジ結合しているキャップ本体１２と、キャップ本体１２に液密に装着されて上下動可能とされたオーバーキャップ１４とを有する。
【００２５】
このオーバーキャップ１４は、天部１６に液体を注出する注出口１８を有すると共に注出口１８を囲んで容器１０側に垂下する筒状部２０を有し、この筒状部２０が注出口１８から下方に向けて漸次拡開するドーム状または円錐状の内壁を有する。
【００２６】
キャップ本体１２は、上下に連通された概略回転体であり、下部１２ａが袴状に広がって容器１０の肩部を覆い、その内部に筒状部に雌ねじが形成されて容器１０の口元部１０ａに螺合している。上部に筒状受け部１２ｂが上方向きに延在し、筒状受け部１２ｂの内周に、オーバーキャップ１４の内側の筒状部２０が挿入されている。
【００２７】
また、オーバーキャップ１４には、筒状部２０を取り囲んで外壁部１４ａが形成され、この外壁部１４ａが筒状受け部１２ｂの外周を覆っている。外壁部１４ａの内面と筒状受け部１２ｂの外面に互いに凹凸部が形成されて、オーバーキャップ１４の開・閉位置で係止して位置固定可能に形成されている。
【００２８】
また、キャップ本体１２には、筒状部２０に取り囲まれた軸心位置に棒状栓体１２ｃが上方に延在している。このキャップ本体１２の構造によって、当該オーバーキャップ１４を上方に移動させたときに棒状栓体１２ｃが注出口１８から離れて開状態（開位置）になり、一方、下方に移動させたときに棒状栓体１２ｃが注出口１８に入り込んで密着して閉状態（閉位置）になる。注出操作時に、液は連通孔１２ｄを通って注出され、操作後には、オーバーキャップ１４内に残った液が連通孔１２ｄを通って容器１０内に戻る。
【００２９】
前記のように、オーバーキャップ１４の筒状部２０は、その注出口１８から下方に向けて拡開するドーム状または円錐状の内壁を有している。
【００３０】
そして、筒状部２０の内壁の一部には、内壁表面から肉厚方向に向けて、注出口１８から下方向に至る連続したリブ（凹部または凸部の例）２２を複数形成したものである。
【００３１】
具体的には、図１、図２に示すように、筒状部２０の内壁には、複数の連続したリブ２２の上端が注出口１８に隣接し、下端が内壁下縁付近まで延びて形成されている。
【００３２】
この連続したリブ２２は、断面視すると図３（ａ）に示すように、筒状部２０の内壁から台形状のリブが突出形成されたものであり、リブ２２自体が凸部となり、リブ２２間が凹部となったものある。本発明では、その他、図３（ｂ）に示すように、筒状部２０に連続した溝（凹部）２４の形成によって、溝２４自体を凹部とすることができる。
凸部であるリブ２２の断面形状は図示した台形状以外に矩形、三角形状、半円形状でも選択可能である。溝（凹部）についても形状は同上の形態を選択可能である。
【００３３】
また筒状部２０内壁の前記連続した凸部及び／または凹部は、図３に示すように、オーバーキャップ１４の注出口１８を挟んで非対称に形成したものである。つまり、筒状部２０の内壁には、部分的に凹部または凸部が偏在している。図３（ａ）に示すように、オーバーキャップ１４には、横断面視でほぼ半分の面積に、連続したリブ（凸部の例）２２が、（ｂ）に示すように、連続した溝（凹部の例）２４が形成されている。
【００３４】
したがって、実施形態では連続した凹部及び／または凸部の存在する内壁表面の面積は、ほぼ１／２である。
【００３５】
なお、これは一例であって、本発明では、連続した凹部及び／または凸部の存在する内壁表面の面積は、内壁表面全体の面積の１／４〜３／４の範囲内とすることができる。
【００３６】
また、連続した凹部が下方に行くにしたがって拡開することが好ましい。図３（ｂ）に示す溝２４では、溝幅が下方に行くにしたがって拡開することによって、液戻しを促進できる。なお、リブ間も凹部と見れば、図２のリブ２２間が拡開しているともいえる。
【００３７】
実施形態のプッシュプルキャップによれば、内壁の一部には、内壁表面から肉厚方向に向けて、注出口１８から下方向に至る連続した凹部及び／または凸部を複数形成したので、液が戻る際に注出口１８付近の液が早い段階で均衡が崩れるので、液膜が発生することがなく、流れやすくなる。
【００３８】
また、連続した溝（凹部）２４及び／またはリブ（凸部）２２は、オーバーキャップ１４の注出口１８を挟んで非対称に形成するので、筒状部２０の内壁に付着した液の均衡を崩れやすくして液膜の発生を確実に防止できる。
なお、本発明においては、本実施形態以外に、連続した凹部と連続した凸部を非対称に設けても良い。
【００３９】
また、連続した凹部及び／または凸部の存在する筒状部２０内壁面の面積は、内壁面全体の面積の１／４〜３／４であることにより、当該凹部または凸部を非対称にして、部位により液の落下の速度を異なるものとして、より液膜が発生しづらくなる。つまり、１／４以下の場合、または、３／４以上の場合、局所的に異なる形状を実現しづらくなり、液膜の発生する恐れが高まる可能性がある。実施形態では、連続した凹部及び／または凸部の存在する内壁面の面積は、内壁面全体の面積のほぼ１／２であり、一層液膜が発生しにくく、成形も容易である。
【００４０】
また、連続した凹部が下方に行くにしたがって拡開することによって、凹部への液の溜まりを抑制して、落ちやすくできる等の優れた効果を奏し得る。
そして、連続した凹部及び／または凸部は、注出口から下方に向けて拡開するドーム状または円錐状の内壁の下端まで設けてもよく、本実施形態のように液性状によって適宜範囲を選定してよい。
【産業上の利用可能性】
【００４１】
本発明のプッシュプルキャップは、液体洗剤、液体シャンプー等の液体製品に利用することができる。
【符号の説明】
【００４２】
１０  容器
１２  キャップ本体
１４  オーバーキャップ
１８  注出口
２０  筒状部
２２  連続したリブ
２４  連続した溝
【図１】
2015205710.tif 000003
【図２】
2015205710.tif 000004
【図３】
2015205710.tif 000005